Podtech/llm-jp-corpus-v4-ja_patent huggingface dataset:
【手続補正書】
【提出日】平成24年11月26日(2012.11.26)
【手続補正１】
【補正対象書類名】明細書
【補正対象項目名】００６１
【補正方法】変更
【補正の内容】
【００６１】
従って、顔位置パラメータ算出部４４は、図９Ｂに示すような関数、即ち、次の式（２）を演算することにより、画像全体の中心を原点とした座標系における顔領域の中心点の座標を、顔位置のパラメータとして算出する。
【手続補正２】
【補正対象書類名】明細書
【補正対象項目名】０１６７
【補正方法】変更
【補正の内容】
【０１６７】
人種パラメータは、画像に表示されている顔の人種（例えば、白人や、黒人、黄色人種など）を表すパラメータである。例えば、属性判別部３４は、画像に表示されている顔の属性を判別し、その顔の人種の度合いを数値化したスコアを出力し、そのスコアに基づいて、人種パラメータが決定される。そして、三次元データ管理部５１が、人種パラメータに従った人種のテクスチャおよび三次元データをレンダリング部５３に供給することで、よりユーザの顔に近いアバタを表示することができる。
【手続補正３】
【補正対象書類名】明細書
【補正対象項目名】０１７６
【補正方法】変更
【補正の内容】
【０１７６】
正規分布曲線ｆ（ｘ）は、フィルタ処理の対象となる状態推定結果値ｕfを中心とした過去の状態推定結果値の誤差分布を表している。正規分布曲線ｒ（ｘ）は、状態推定結果値ｕfを処理の対象としたときのフィルタ処理の出力値を、直前までのフィルタ処理の結果から予測した出力予測値ｕrを中心とした、その予測出力値ｕrの尤度分布を表している。正規分布曲線ｆ（ｘ）および正規分布曲線ｒ（ｘ）は、正規分布曲線ｆ（ｘ）の標準偏差σf、および正規分布曲線ｒ（ｘ）の標準偏差σrを用いて、次の式（４）により表される。
【手続補正４】
【補正対象書類名】明細書
【補正対象項目名】０２２８
【補正方法】変更
【補正の内容】
【０２２８】
ステップＳ７２の処理後、または、ステップＳ７５で制御部７２が加速度成分acc（ｔ）を十分に蓄積していないと判定した場合、処理はステップＳ７６に進む。ステップＳ７６において、制御部７２は、出力値ｕp（ｔ）として、供給された状態推定結果値ｕf（ｔ）をそのまま出力するとともに、出力値ｕp（ｔ）を予測部７７および保持部７８に供給する。即ち、この場合、状態推定結果値ｕfの信頼度を正確に評価することができないため、フィルタ処理部７１において出力値ｕpの算出は行われない。ステップＳ７６の処理後、フィルタ処理は終了し、次のフレームを対象とした処理が行われる。
【手続補正書】
【提出日】平成25年8月7日(2013.8.7)
【手続補正１】
【補正対象書類名】特許請求の範囲
【補正対象項目名】全文
【補正方法】変更
【補正の内容】
【特許請求の範囲】
【請求項１】
複数のフォトセンサを有する入力部と、画像処理部とを有し、
前記フォトセンサは、前記入力部と対象物との接触画像を生成し、
前記画像処理部は、前記接触画像の色情報から接触部分の面積を算出し、前記面積に基づいて前記入力部への入力の検出を行うことを特徴とするタッチセンサ。
【請求項２】
請求項１において、
前記面積に対してしきい値を設定し、前記面積と前記しきい値との比較により、前記入力部への入力の検出を行うことを特徴とするタッチセンサ。
【請求項３】
請求項１において、
前記面積に対して複数のしきい値を設定し、前記面積と前記しきい値との比較により、前記入力部への入力の検出を多段階で行うことを特徴とするタッチセンサ。
【請求項４】
複数の画素にフォトセンサを有するタッチパネルと、入力処理部及び応答処理部を備える画像処理部とを有し、
前記フォトセンサは、前記タッチパネルと対象物との接触画像を生成し、
前記入力処理部は、前記接触画像の色情報に対して、ＲＧＢ値からＨＳＶ値への変換処理と、二値化処理と、ノイズ除去処理と、ラベリング処理とを行い接触部分の面積を算出し、
前記応答処理部は、前記面積に基づいて前記タッチパネルへの入力の検出を行うことを特徴とする表示装置。
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
カードに記録された磁気データを読み取るカードリーダにおいて、
前記カードに記録された磁気データを読み取るためのリードコアおよび前記リードコアに巻回されるリード側コイルを有する磁気ヘッドと、
前記カードに記録された磁気データの読取時に前記リード側コイルに流れる読取電流とは異なる非読取電流を、前記リード側コイルに発生させるための非読取電流発生手段とを備えることを特徴とするカードリーダ。
【請求項２】
前記非読取電流発生手段は、前記リード側コイルが接続されるリード側信号線に接続されていることを特徴とする請求項１記載のカードリーダ。
【請求項３】
前記磁気ヘッドは、前記カードに前記磁気データを書き込むためのライトコアおよび前記ライトコアに巻回されるライト側コイルを備えるとともに、前記リードコアと前記ライトコアとが一体化されたリードライト一体型磁気ヘッドであり、
前記非読取電流発生手段は、前記ライト側コイルが接続されるライト側信号線に接続され、
前記非読取電流の波形の振幅は、前記カードに前記磁気データを書き込むための書込電流の波形の振幅よりも小さくなっており、
前記ライト側コイルに前記書込電流を流すことで、電磁誘導によって、前記リード側コイルに前記非読取電流を発生させることを特徴とする請求項１記載のカードリーダ。
【請求項４】
前記非読取電流発生手段は、前記書込電流を前記ライト側コイルに流す書込電流発生手段であることを特徴とする請求項３記載のカードリーダ。
【請求項５】
前記非読取電流の波形の振幅は、前記読取電流の波形の振幅と略等しいことを特徴とする請求項１から４のいずれかに記載のカードリーダ。
【請求項６】
前記非読取電流の波形の周期は、前記カードに記録された前記磁気データの記録密度と前記カードリーダ内での前記カードの移動速度とによって定まる周期となっていることを特徴とする請求項１から５のいずれかに記載のカードリーダ。
【請求項７】
前記非読取電流の波形の周期は、前記磁気データの記録密度と前記カードリーダ内での前記カードの移動速度とによって定まる周期の範囲内において、不定期で変化することを特徴とする請求項６記載のカードリーダ。
【請求項８】
前記非読取電流が前記リード側コイルに流れたときに前記磁気ヘッドが発生させる磁界の強さは、前記カードに形成される磁気ストライプの抗磁力よりも弱くなっていることを特徴とする請求項１から７のいずれかに記載のカードリーダ。
【請求項９】
前記磁気ヘッドで前記磁気データの読取が行われていることを検出するための読取状態検出手段を備え、
前記非読取電流発生手段は、前記読取状態検出手段の検出結果に基づいて、前記リード側コイルに発生していた前記非読取電流を前記磁気ヘッドによる前記磁気データの読取開始前に停止させ、前記磁気ヘッドによる前記磁気データの読取終了後に前記リード側コイルに前記非読取電流を発生させることを特徴とする請求項１から８のいずれかに記載のカードリーダ。
【請求項１０】
前記非読取電流発生手段が実装される回路基板を備え、
前記回路基板には、前記リード側コイルに流れる電流のうちの前記非読取電流の成分をキャンセルするための非読取電流成分キャンセル手段が実装されていることを特徴とする請求項１から９のいずれかに記載のカードリーダ。
【請求項１１】
前記磁気ヘッドで前記磁気データの読取が行われていることを検出するための読取状態検出手段と、前記非読取電流発生手段が実装される回路基板とを備え、
前記回路基板には、前記リード側コイルに流れる電流のうちの前記非読取電流の成分をキャンセルするための非読取電流成分キャンセル手段が実装され、
前記非読取電流発生手段は、前記読取状態検出手段の検出結果に基づいて、前記磁気ヘッドによる前記磁気データの読取開始前に前記非読取電流を前記リード側コイルに発生させ、前記磁気ヘッドによる前記磁気データの読取終了後に前記リード側コイルに発生していた前記非読取電流を停止させることを特徴とする請求項１から８のいずれかに記載のカードリーダ。
【請求項１２】
前記リード側コイルに前記非読取電流が発生していることを検出するための非読取電流検出手段を備えることを特徴とする請求項１から１０のいずれかに記載のカードリーダ。
【請求項１３】
カードに記録された磁気データを読み取るためのリードコアおよび前記リードコアに巻回されるリード側コイルを有する磁気ヘッドを備えるカードリーダの制御方法において、
前記カードに記録された磁気データの読取時に前記リード側コイルに流れる読取電流とは異なる非読取電流を、前記カードリーダに前記カードが挿入される前から前記リード側コイルに発生させる非読取電流発生ステップと、前記磁気ヘッドによる前記カードに記録された磁気データの読取開始前に前記リード側コイルに発生していた前記非読取電流を停止させる非読取電流停止ステップと、前記磁気ヘッドによる前記カードに記録された磁気データの読取終了後に前記リード側コイルに前記非読取電流を発生させる非読取電流再発生ステップとを備えることを特徴とするカードリーダの制御方法。
【請求項１４】
カードに記録された磁気データを読み取るためのリードコアおよび前記リードコアに巻回されるリード側コイルを有する磁気ヘッドを備えるカードリーダの制御方法において、
前記カードに記録された磁気データの読取時に前記リード側コイルに流れる読取電流とは異なる非読取電流を、前記磁気ヘッドによる前記カードに記録された磁気データの読取開始前に前記リード側コイルに発生させる非読取電流発生ステップと、前記磁気ヘッドによる前記カードに記録された磁気データの読取終了後に前記リード側コイルに発生していた前記非読取電流を停止させる非読取電流停止ステップとを備え、
前記非読取電流発生ステップでは、前記カードリーダの回路基板内において、前記リード側コイルに流れる電流のうちの前記非読取電流の成分がキャンセルされていることを特徴とするカードリーダの制御方法。
【手続補正書】
【提出日】平成25年4月23日(2013.4.23)
【手続補正１】
【補正対象書類名】明細書
【補正対象項目名】発明の名称
【補正方法】変更
【補正の内容】
【発明の名称】ディスプレイ装置用カラーシフト低減光学フィルター及びこれを具備するディスプレイ装置
【手続補正２】
【補正対象書類名】明細書
【補正対象項目名】０００１
【補正方法】変更
【補正の内容】
【０００１】
本発明は、ディスプレイ装置用光学フィルター及びこれを具備するディスプレイ装置に係り、より詳しくは、凹状または凸状のレンズ部を有するカラーシフト低減層と光吸収物質を含む外光遮蔽層を具備し、視聴角によるカラーシフトを改善するディスプレイ装置用カラーシフト低減光学フィルター及びこれを具備するディスプレイ装置に関する。
【手続補正３】
【補正対象書類名】明細書
【補正対象項目名】００１９
【補正方法】変更
【補正の内容】
【００１９】
本発明の目的は、視聴角の増大に伴うカラーシフト現象を改善することができるディスプレイ装置用光学フィルター及びこれを具備するディスプレイ装置を提供することにある。
【手続補正４】
【補正対象書類名】明細書
【補正対象項目名】００２０
【補正方法】変更
【補正の内容】
【００２０】
本発明の他の目的は、カラーシフト現象を改善し、且つ、二重像及びヘイズの発生を抑制することができるディスプレイ装置用光学フィルター及びこれを具備するディスプレイ装置を提供することにある。
【手続補正５】
【補正対象書類名】明細書
【補正対象項目名】００２１
【補正方法】変更
【補正の内容】
【００２１】
本発明のまた他の目的は、ガンマカーブの歪み及び階調反転を改善することができるディスプレイ装置用光学フィルター及びこれを具備するディスプレイ装置を提供することにある。
【手続補正６】
【補正対象書類名】明細書
【補正対象項目名】００２２
【補正方法】変更
【補正の内容】
【００２２】
本発明のさらなる目的は、外光によるヘイズの発生及び明室明暗比の低下をさらに改善することができるディスプレイ装置用光学フィルター及びこれを具備するディスプレイ装置を提供することにある。
【手続補正７】
【補正対象書類名】明細書
【補正対象項目名】００２４
【補正方法】変更
【補正の内容】
【００２４】
前記目的を達成するために、本発明は、ディスプレイパネルの前方に具備されるディスプレイ装置用光学フィルターであって、カラーシフト低減層と、外光遮蔽層とを含んでなり、前記カラーシフト低減層は、層をなすバックグラウンド層と前記バックグラウンド層に互いに離間して形成される複数の凹状または凸状レンズ部とを含み、前記ディスプレイパネルから出射する光のうち、レンズ部に入射した光の出射方向を分散させて、互いに離間した前記レンズ部の間を通過する光と混合させ、前記外光遮蔽層は、光吸収物質を含むことを特徴とするディスプレイ装置用カラーシフト低減光学フィルターを提供する。
【手続補正８】
【補正対象書類名】特許請求の範囲
【補正対象項目名】全文
【補正方法】変更
【補正の内容】
【特許請求の範囲】
【請求項１】
ディスプレイパネルの前方に具備されるディスプレイ装置用光学フィルターであって、
カラーシフト低減層と、
外光遮蔽層とを含んでなり、
前記カラーシフト低減層は、層をなすバックグラウンド層と前記バックグラウンド層に互いに離間して形成される複数の凹状または凸状レンズ部を含み、前記ディスプレイパネルから出射する光のうち、レンズ部に入射した光の出射方向を分散させて、互いに離間した前記レンズ部の間を通過する光と混合させ、
前記外光遮蔽層は、光吸収物質を含むことを特徴とするディスプレイ装置用カラーシフト低減光学フィルター。
【請求項２】
前記光吸収物質は、可視光線の全波長帯を吸収する黒色物質であることを特徴とする請求項１に記載のディスプレイ装置用カラーシフト低減光学フィルター。
【請求項３】
Ｄ６５光源下における外光遮蔽層の透過色の色座標は、Ｌ＊が５０以下、ａ＊及びｂ＊が−３０〜＋３０であることを特徴とする請求項２に記載のディスプレイ装置用カラーシフト低減光学フィルター。
【請求項４】
前記光吸収物質は、カーボンブラックであることを特徴とする請求項１に記載のディスプレイ装置用カラーシフト低減光学フィルター。
【請求項５】
前記光吸収物質は、前記バックグラウンド層に含まれ、前記外光遮蔽層は、前記バックグラウンド層であることを特徴とする請求項１に記載のディスプレイ装置用カラーシフト低減光学フィルター。
【請求項６】
前記外光遮蔽層は、前記光吸収物質が樹脂に混合されてなることを特徴とする請求項１に記載のディスプレイ装置用カラーシフト低減光学フィルター。
【請求項７】
前記外光遮蔽層は、前記光吸収物質が粘着剤に混合されてなることを特徴とする請求項１に記載のディスプレイ装置用カラーシフト低減光学フィルター。
【請求項８】
前記外光遮蔽層は、前記カラーシフト低減層の前方に具備されることを特徴とする請求項１に記載のディスプレイ装置用カラーシフト低減光学フィルター。
【請求項９】
前記光学フィルターは、バッキングをさらに含み、
前記カラーシフト低減層は、前記バッキングの背面に直接コートされてなり、
前記外光遮蔽層は、前記バッキングの前面に直接コートされてなることを特徴とする請求項１に記載のディスプレイ装置用カラーシフト低減光学フィルター。
【請求項１０】
前記レンズ部の断面は、楕円弧を含むことを特徴とする請求項１に記載のディスプレイ装置用カラーシフト低減光学フィルター。
【請求項１１】
前記バックグラウンド層は、自己粘着性を持つことを特徴とする請求項１に記載のディスプレイ装置用カラーシフト低減光学フィルター。
【請求項１２】
前記レンズ部は、レンズ部の深さ／レンズ部の幅の比が０．２５以上であることを特徴とする請求項１に記載のディスプレイ装置用カラーシフト低減光学フィルター。
【請求項１３】
前記レンズ部は、レンズ部間の間隔／レンズ部のピッチの比が０．５〜０．９５であることを特徴とする請求項１に記載のディスプレイ装置用カラーシフト低減光学フィルター。
【請求項１４】
前記レンズ部は、レンズ部のピッチが４５μｍ以下であることを特徴とする請求項１に記載のディスプレイ装置用カラーシフト低減光学フィルター。
【請求項１５】
請求項１に記載のカラーシフト低減光学フィルターを含むことを特徴とするディスプレイ装置。
【請求項１６】
前記カラーシフト低減光学フィルターのレンズ部は、前記ディスプレイパネルと向き合う前記バックグラウンド層の背面に形成されることを特徴とする請求項１５に記載のディスプレイ装置。
【請求項１７】
前記カラーシフト低減光学フィルターは、前記ディスプレイパネルに密着されることを特徴とする請求項１５に記載のディスプレイ装置。
【手続補正書】
【提出日】平成25年5月14日(2013.5.14)
【手続補正１】
【補正対象書類名】明細書
【補正対象項目名】００１４
【補正方法】変更
【補正の内容】
【００１４】
【図１】本発明の実施例１に係る紙幣入出金装置を備えたＡＴＭ(automated teller machine)（本体装置）の構成を模式的に示す断面図である。
【図２】実施例１に係る紙幣入出金装置の拡大図である。
【図３】(a),(b),(c)は実施例１に係る紙幣入出金装置の整列レバーとステージプレートとの関係を示す図である。
【図４】(a),(b)は実施例１に係る紙幣入出金装置のフィードローラ、セパレータ、搬送ローラ、部分羽根車の位置関係を示す図である。
【図５】実施例１に係る紙幣入出金装置の各部の動作を制御する制御部と制御部によって制御される処理タスクのブロック図である。
【図６】(a),(b)は実施例１に係る紙幣入出金装置の入金処理時における各部の動作状態を示す図（その１）である。
【図７】実施例１に係る紙幣入出金装置の入金処理時における各部の動作状態を示す図（その２）である。
【図８】(a),(b)は実施例１に係る紙幣入出金装置の出金処理時における各部の基本動作を示す図である。
【図９】(a),(b),(c)は実施例１に係る紙幣入出金装置の出金処理時における整列レバーの機能について説明する図である。
【図１０】実施例１に係る紙幣入出金装置の出金時において例えばユーロ紙幣などのように額面に応じて紙幣幅サイズの異なる紙幣を一時集積部に集積させる場合の整列レバーの回動を制御する処理のフローチャートである。
【図１１】(a),(b)は図１０の処理における整列レバーの回動動作を示す図である。
【手続補正２】
【補正対象書類名】明細書
【補正対象項目名】００７５
【補正方法】変更
【補正の内容】
【００７５】
制御部４０は、紙幣が一枚集積される毎に、収納部４からの出金依頼枚数に対応する紙幣の繰り出しが完了したか否かを判別する（ステップＳ７）。そして、まだ完了していない場合は（Ｓ７の判別Ｎｏ）、ステップＳ２に戻って、出金処理のシーケンスを繰り返す。
【手続補正３】
【補正対象書類名】明細書
【補正対象項目名】００８１
【補正方法】変更
【補正の内容】
【００８１】
この後も、制御部４０は、紙幣が一枚集積される毎に、ステップＳ７で収納部４からの出金依頼枚数に対応する紙幣の繰り出しが完了したか否かを判別し、完了していない場合は、ステップＳ２に戻って、出金処理のシーケンスを繰り返す。
【手続補正４】
【補正対象書類名】明細書
【補正対象項目名】００８３
【補正方法】変更
【補正の内容】
【００８３】
そして、ステップＳ７の判別で、収納部４からの出金依頼枚数に対応する紙幣の繰り出しが完了していれば、出金処理を終了する（ステップＳ１０）。出金処理を終了すると、フィードローラ２６、搬送ローラ２８、セパレータ２７、部分羽根車２９等の回転系は回転を停止する。
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
酸素を含有する処理ガスで石炭の不活性化を行う石炭不活性化処理方法であって、
前記石炭を４５〜７０℃の温度範囲で不活性化処理する
ことを特徴とする石炭不活性化処理方法。
【請求項２】
請求項１に記載の石炭不活性化処理方法において、
下記式（１）で表される前記石炭の表面積球相当径Ｒが５〜５０ｍｍとなるように当該石炭を圧縮成型した後に、当該石炭を不活性化処理する
ことを特徴とする石炭不活性化処理方法。
Ｒ＝６×（Ｖ／Ａ）      （１）
ただし、Ｖは石炭粒容積、Ａは石炭粒外表面積である。
【請求項３】
請求項１又は請求項２に記載の石炭不活性化処理方法において、
前記石炭が乾留されたものである
ことを特徴とする石炭不活性化処理方法。
【手続補正２】
【補正対象書類名】明細書
【補正対象項目名】０００６
【補正方法】変更
【補正の内容】
【０００６】
前述した課題を解決するための、第一番目の発明に係る石炭不活性化処理方法は、酸素を含有する処理ガスで石炭の不活性化を行う石炭不活性化処理方法であって、前記石炭を４５〜７０℃の温度範囲で不活性化処理することを特徴とする。
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
第一の基板と第二の基板とを互いに積層して接合する基板接合方法であって、
前記第一の基板を支持基板に保持する保持工程と、
前記第一の基板に設けられたマークと前記支持基板に設けられた指標との相対位置を測定する測定工程と、
前記支持基板と、前記第二の基板との相対位置を調整して、前記第一の基板と前記第二の基板との位置合わせを行う位置合わせ工程と、
位置合わせされた前記第一の基板および前記第二の基板を互いに接合する接合工程と、を含む基板接合方法。
【請求項２】
前記支持基板は、前記第一の基板を保持した状態で前記第一の基板に接触しない領域を有し、前記指標は、前記領域に形成されている請求項１に記載の基板接合方法。
【請求項３】
前記支持基板はシリコン基板である請求項１または２に記載の基板接合方法。
【請求項４】
前記第一の基板の前記マークは、前記第一の基板に設けられたバンプ、および、前記第一の基板の半導体チップの一部の少なくとも一方を含む請求項１から３のいずれか一項に記載の基板接合方法。
【請求項５】
前記第一の基板は、絶縁層および前記絶縁層に接して形成されたＳＯＩ層を有するＳＯＩ基板である請求項１から４のいずれか一項に記載の基板接合方法。
【請求項６】
前記ＳＯＩ基板は、その表面および裏面の間を貫通する貫通孔と、前記貫通孔に形成され、前記表面および前記裏面の間を電気的に結合する貫通結合部とを有し、
前記保持工程では、前記ＳＯＩ基板の前記表面または前記裏面の何れかの面を前記支持基板で保持し、
前記位置合わせ工程では、前記ＳＯＩ基板の前記支持基板が貼付されていない面の前記貫通結合部が前記第二の基板の所定の位置に電気的に結合するように、前記第一の基板と前記第二の基板との位置合わせを行う請求項５に記載の基板接合方法。
【請求項７】
前記第一の基板の前記マークは、前記ＳＯＩ基板の前記貫通結合部の位置を代表する代表指標であり、
前記測定工程では、前記支持基板の前記指標と前記代表指標との相対位置を測定し、
前記位置合わせ工程では、前記指標と、前記第二の基板の前記マークと、前記支持基板の前記指標および前記代表指標の相対位置とに基づき、前記第一の基板と前記第二の基板との位置合わせを行う請求項６に記載の基板接合方法。
【請求項８】
前記ＳＯＩ層には半導体素子が形成されており、前記ＳＯＩ基板は前記ＳＯＩ層で前記支持基板に保持される請求項５から７のいずれか一項に記載の基板接合方法。
【請求項９】
前記支持基板の前記指標は、レーザにより形成されたフィディシャルマークである請求項１から請求項８の何れか一項に記載の基板接合方法。
【請求項１０】
第一の基板と第二の基板とを互いに積層して接合する基板接合方法であって、
前記第一の基板を第一の支持基板に保持する第一の保持工程と、
前記第二の基板を第二の支持基板に保持する第二の保持工程と、
前記第一の基板に設けられた第一のマークと前記第一の支持基板に設けられた第一の指標との相対位置を測定する第一の測定工程と、
前記第二の基板に設けられた第二のマークと前記第二の支持基板に設けられた第二の指標との相対位置を測定する第二の測定工程と、
前記第一の支持基板の前記第一の指標と前記第二の支持基板の前記第二の指標との相対位置を測定する第三の測定工程と、
前記第三の測定工程の測定結果に基づいて、前記第一の基板と前記第二の基板との位置合わせを行う位置合わせ工程と、
位置合わせされた前記第一の基板および前記第二の基板を互いに接合する接合工程と、を含む基板接合方法。
【請求項１１】
前記第一の支持基板および前記第二の支持基板の少なくとも一方はシリコン基板である請求項１０に記載の基板接合方法。
【請求項１２】
前記第一の基板の前記第一のマークおよび前記第二の基板の前記第二のマークは、それぞれ前記第一の基板に設けられたバンプ、および、前記第一の基板の半導体チップの一部の少なくとも一方を含む請求項１０または１１に記載の基板接合方法。
【請求項１３】
前記第一の基板および前記第二の基板の少なくとも一方は、絶縁層および前記絶縁層に接して形成されたＳＯＩ層を有するＳＯＩ基板である請求項１０から１２のいずれか一項に記載の基板接合方法。
【請求項１４】
前記ＳＯＩ層には半導体素子が形成されており、前記ＳＯＩ基板は前記ＳＯＩ層で前記第一の支持基板または前記第二の支持基板に保持される請求項１３に記載の基板接合方法。
【請求項１５】
前記第一の支持基板および前記第二の支持基板はそれぞれ方位目印を有し、
前記第三の測定工程の前に、前記方位目印を利用して前記第一の基板と前記第二の基板との相対位置を粗調整する粗調整工程を含む請求項１０から１４のいずれか一項に記載の基板接合方法法。
【請求項１６】
前記位置あわせ工程では、前記第一の支持基板の前記第一の指標と、前記第二の支持基板の前記第二の指標とを一致させる請求項１０から１５のいずれか一項に記載の基板接合方法。
【手続補正２】
【補正対象書類名】明細書
【補正対象項目名】発明の名称
【補正方法】変更
【補正の内容】
【発明の名称】基板接合方法
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
光源（１）と、変換素子（２）と、フィルタ素子（３）とを有するバックライトユニット（１０）であって、
・前記光源（１）は複数の半導体コンポーネント（４）を備え、各半導体コンポーネント（４）は第１の色の光を放射し、
・前記変換素子（２）は、前記第１の色を変化させないで通過させるための複数の透明領域（２ａ）と、前記第１の色の光を変換し、混合光を形成するための複数の変換領域（２ｂ）とを有し、
・前記フィルタ素子（３）は、複数の第１の色領域（３ａ）、複数の第２の色領域（３ｂ）および複数の第３の色領域（３ｃ）を有し、当該すべての色領域（３ａ，３ｂ，３ｃ）はストライプ状に形成されており、
第２の色の光が前記混合光から前記第２の色領域（３ｂ）で、そして第３の色の光が前記混合光から前記第３の色領域（３ｃ）で形成されるバックライトユニット。
【請求項２】
請求項１記載のバックライトユニットにおいて、
前記フィルタ素子（３）の前記第１の色領域（３ａ）は、前記第１の色の光を変化させず通過させるため透明であるバックライトユニット。
【請求項３】
請求項１または２記載のバックライトユニットにおいて、
前記フィルタ素子（３）の前記第２の色領域（３ｂ）は、前記第２の色を混合光から形成するためのカラーフィルタを有するバックライトユニット。
【請求項４】
請求項１乃至３のいずれか１項に記載のバックライトユニットにおいて、
前記フィルタ素子（３）の前記第３の色領域（３ｃ）は、前記第３の色を混合光から形成するためのカラーフィルタを有するバックライトユニット。
【請求項５】
請求項１乃至４のいずれか１項に記載のバックライトユニットにおいて、
前記変換領域（２ｂ）は、前記第２の色と前記第３の色に相当する波長で放射する燐光体を有するバックライトユニット。
【請求項６】
請求項１乃至５のいずれか１項に記載のバックライトユニットにおいて、
前記変換素子（２）は光の方向（Ｄ）で光源（１）の後方に配置されており、前記フィルタ素子（３）は光の方向（Ｄ）で前記変換素子（２）の後方に配置されているバックライトユニット。
【請求項７】
請求項１乃至６のいずれか１項に記載のバックライトユニットにおいて、
前記複数の半導体コンポーネント（４）は、１つの平面に行と列のアレイを形成するよう配列されているバックライトユニット。
【請求項８】
請求項７記載のバックライトユニットにおいて、
前記変換素子（２）の透明領域（２ａ）はストライプ状に形成されており、各ストライプは１×ｎ列に相当し、ここでｎは自然数であるバックライトユニット。
【請求項９】
請求項８記載のバックライトユニットにおいて、
前記フィルタ素子（３）の前記第１の色領域（３ａ）の各ストライプは１×ｎ列に相当し、ここでｎは自然数であり、
前記第１の色領域（３ａ）は、光の方向（Ｄ）で前記変換素子（２）のストライプ状の透明領域（２ａ）の後方に配置されているバックライトユニット。
【請求項１０】
請求項７乃至９のいずれか１項に記載のバックライトユニットにおいて、
前記変換素子（２）の変換領域（２ｂ）はストライプ状に形成されており、各ストライプは２×ｎ列に相当し、ここでｎは自然数であるバックライトユニット。
【請求項１１】
請求項１０記載のバックライトユニットにおいて、
前記フィルタ素子（３）の前記第２の色領域（３ｂ）と前記第３の色領域（３ｃ）の各ストライプは１×ｎ列に相当し、ここでｎは自然数であり、
前記第２の色領域（３ｂ）と前記第３の色領域（３ｃ）は、光の方向（Ｄ）で前記変換素子（２）のストライプ状の変換領域（２ｂ）の後方に配置されているバックライトユニット。
【請求項１２】
請求項１乃至１１のいずれか１項に記載のバックライトユニットにおいて、
前記変換素子（２）と前記フィルタ素子（３）は２つの別個のプレートであるバックライトユニット。
【請求項１３】
請求項１乃至１１のいずれか１項に記載のバックライトユニットにおいて、
前記変換素子（２）と前記フィルタ素子（３）は１つのプレートに組み込まれており、基板の対向する２つの側に配置されているバックライトユニット。
【請求項１４】
請求項１乃至１１のいずれか１項に記載のバックライトユニットにおいて、
前記変換素子（２）とフィルタ素子（３）は１つのプレートに組み込まれており、基板の同じ側に一方が他方の上になるよう配置されているバックライトユニット。
【請求項１５】
請求項１乃至１４のいずれか１項に記載のバックライトユニットにおいて、
前記第１の色の光は青色光であり、前記混合光は白色光であるバックライトユニット。
【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
基板の上方に第１の導電層が設けられる工程が行われ、
前記第１の導電層の上方に第１の絶縁層が設けられる工程が行われ、
前記第１の絶縁層の上方に、第１の領域と第２の領域と第３の領域とを有する第１の半導体層が設けられる工程が行われ、
前記第１の領域の上方に第１のマスクが設けられる工程が行われ、
前記第２の領域と前記第３の領域とに元素が導入される工程が行われ、
前記第１のマスクがエッチングされる工程が行われ、
前記第１の半導体層の上方に第２の導電層が設けられる工程が行われ、
前記第２の導電層の上方に、第４の領域と第５の領域と第６の領域とを有する第２のマスクが設けられる工程が行われ、
前記第２の導電層がエッチングされて第４の導電層となり、前記第１の半導体層がエッチングされて第２の半導体層となり、前記第１の絶縁層がエッチングされて第２の絶縁層となり、前記第１の導電層がエッチングされて第３の導電層となる工程が行われ、
前記第３の導電層がサイドエッチングされて第５の導電層となる工程が行われ、
前記第２のマスクがエッチングされて第３のマスクと第４のマスクとなる工程が行われ、
前記第４の導電層がエッチングされて第６の導電層と第７の導電層となる工程が行われ、
前記第３のマスクと前記第４のマスクとがエッチングされる工程が行われ、
前記元素は、前記第１の半導体層にｎ型又はｐ型を付与することができる元素であり、
前記第１の領域は、トランジスタのチャネル形成領域となることができる領域であり、
前記第２の領域は、前記トランジスタのソース領域となることができる領域であり、
前記第３の領域は、前記トランジスタのドレイン領域となることができる領域であり、
前記第４の領域は、前記第５の領域よりも薄く、
前記第４の領域は、前記第６の領域よりも薄く、
前記第４の領域は、前記第１の領域と重なる領域を有し、
前記第５の領域は、前記第２の領域と重なる領域を有し、
前記第６の領域は、前記第３の領域と重なる領域を有し、
前記第５の導電層は、前記トランジスタのゲート電極として機能することができる領域を有し、
前記第６の導電層は、前記第２の領域と重なる領域を有し、
前記第６の導電層は、前記トランジスタのソース電極として機能することができる領域を有し、
前記第７の導電層は、前記第３の領域と重なる領域を有し、
前記第７の導電層は、前記トランジスタのドレイン電極として機能することができる領域を有することを特徴とする半導体装置の作製方法。
【手続補正書】
【提出日】平成24年11月29日(2012.11.29)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１の導電層と、第２の導電層と、第３の導電層と、第４の導電層と、半導体と、を有し、
前記第２の導電層は、トランジスタのゲート電極となることができる機能を有し、
前記半導体は、前記トランジスタのチャネルを形成することができる機能を有し、
前記第２の導電層は、絶縁層を介して、前記半導体と重なる領域を有し、
前記絶縁層は、前記トランジスタのゲート絶縁層となることができる機能を有し、
前記第３の導電層は、前記トランジスタのソース電極またはドレイン電極のうちの一方となることができる機能を有し、
前記第４の導電層は、前記トランジスタのソース電極またはドレイン電極のうちの他方となることができる機能を有し、
前記第１の導電層は、光を遮ることができる機能を有し、
前記第１の導電層は、前記第２の導電層と重なる領域を有し、
前記第１の導電層は、前記第３の導電層と重なる領域を有し、
前記第１の導電層は、前記第４の導電層と重なる領域を有し、
前記第１の導電層は、前記半導体と重なる領域を有する半導体装置であって、
前記第１の導電層の側面に接する空洞を有し、
前記第３の導電層は、前記空洞と重なる領域を有し、
前記第４の導電層は、前記空洞と重なる領域を有し、
前記半導体は、前記空洞と重なる領域を有し、
前記絶縁層は、前記空洞と重なる領域を有することを特徴とする半導体装置。
【請求項２】
第１の導電層と、第２の導電層と、第３の導電層と、第４の導電層と、半導体と、を有し、
前記第２の導電層は、トランジスタのゲート電極となることができる機能を有し、
前記半導体は、前記トランジスタのチャネルを形成することができる機能を有し、
前記第２の導電層は、絶縁層を介して、前記半導体と重なる領域を有し、
前記絶縁層は、前記トランジスタのゲート絶縁層となることができる機能を有し、
前記第３の導電層は、前記トランジスタのソース電極またはドレイン電極のうちの一方となることができる機能を有し、
前記第４の導電層は、前記トランジスタのソース電極またはドレイン電極のうちの他方となることができる機能を有し、
前記第１の導電層は、光を遮ることができる機能を有し、
前記第１の導電層は、前記第２の導電層と重なる領域を有し、
前記第１の導電層は、前記第３の導電層と重なる領域を有し、
前記第１の導電層は、前記第４の導電層と重なる領域を有し、
前記第１の導電層は、前記半導体と重なる領域を有する半導体装置であって、
前記第１の導電層の側面に接する空洞を有し、
前記第３の導電層は、前記空洞と重なる領域を有し、
前記第４の導電層は、前記空洞と重なる領域を有し、
前記半導体は、前記空洞と重なる領域を有し、
前記絶縁層は、前記空洞と重なる領域を有し、
前記第１の導電層の側面は、曲面形状を有することを特徴とする半導体装置。
【手続補正書】
【提出日】平成25年1月24日(2013.1.24)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ゲート電極と、
前記ゲート電極上の、ゲート絶縁層と、
前記ゲート絶縁層上の、酸化物半導体層と、
前記酸化物半導体層上の、シリコン又はゲルマニウムを含む層と、
前記酸化物半導体層上の、ソース電極及びドレイン電極と、を有し、
前記酸化物半導体層は、前記シリコン又はゲルマニウムを含む層と接する領域を有することを特徴とする半導体装置。
【請求項２】
ゲート電極と、
前記ゲート電極上の、ゲート絶縁層と、
前記ゲート絶縁層上の、酸化物半導体層と、
前記酸化物半導体層上の、シリコンを含む層と、
前記酸化物半導体層上の、ソース電極及びドレイン電極と、を有し、
前記酸化物半導体層は、前記シリコンを含む層と接する領域を有することを特徴とする半導体装置。
【請求項３】
ゲート電極と、
前記ゲート電極上の、ゲート絶縁層と、
前記ゲート絶縁層上の、酸化物半導体層と、
前記酸化物半導体層上の、ゲルマニウムを含む層と、
前記酸化物半導体層上の、ソース電極及びドレイン電極と、を有し、
前記酸化物半導体層は、前記ゲルマニウムを含む層と接する領域を有することを特徴とする半導体装置。
【請求項４】
請求項１において、
前記酸化物半導体層は、前記ソース電極又は前記ドレイン電極と接する領域を有し、
前記ソース電極又は前記ドレイン電極と接する領域は、前記シリコン又はゲルマニウムを含む層と接する領域よりも抵抗が低いことを特徴とする半導体装置。
【請求項５】
請求項２において、
前記酸化物半導体層は、前記ソース電極又は前記ドレイン電極と接する領域を有し、
前記ソース電極又は前記ドレイン電極と接する領域は、前記シリコンを含む層と接する領域よりも抵抗が低いことを特徴とする半導体装置。
【請求項６】
請求項３において、
前記酸化物半導体層は、前記ソース電極又は前記ドレイン電極と接する領域を有し、
前記ソース電極又は前記ドレイン電極と接する領域は、前記ゲルマニウムを含む層と接する領域よりも抵抗が低いことを特徴とする半導体装置。
【請求項７】
請求項１乃至３のいずれか一項において、
前記酸化物半導体層と、前記ソース電極又は前記ドレイン電極との間に、金属酸化物層を有することを特徴とする半導体装置。
【請求項８】
請求項１乃至７のいずれか一項において、
前記酸化物半導体層は、インジウム、ガリウム、及び亜鉛を含むことを特徴とする半導体装置。
【手続補正書】
【提出日】平成25年1月24日(2013.1.24)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ゲート電極と、
前記ゲート電極上の、ゲート絶縁層と、
前記ゲート絶縁層上の、酸化物半導体層と、
前記酸化物半導体層上の、シリコンを含む層と、
前記酸化物半導体層上の、ソース電極及びドレイン電極と、を有し、
前記シリコンを含む層は、ｐ型を付与する不純物を含み、
前記酸化物半導体層は、前記シリコンを含む層と接する領域を有することを特徴とする半導体装置。
【請求項２】
請求項１において、
前記酸化物半導体層は、インジウム、ガリウム、及び亜鉛を含むことを特徴とする半導体装置。
【請求項３】
請求項１又は２において、
前記酸化物半導体層は、前記ソース電極又は前記ドレイン電極と接する領域を有し、
前記ソース電極又は前記ドレイン電極と接する領域は、前記シリコンを含む層と接する領域よりも抵抗が低いことを特徴とする半導体装置。
【請求項４】
請求項１又は２において、
前記酸化物半導体層と前記ソース電極又は前記ドレイン電極との間に、金属酸化物層を有することを特徴とする半導体装置。
【手続補正書】
【提出日】平成25年1月24日(2013.1.24)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
ゲート電極と、
前記ゲート電極上に設けられたゲート絶縁層と、
前記ゲート絶縁層上に設けられた酸化物半導体層と、
前記酸化物半導体層の表面に接して設けられた、シリコンを含む層と、
前記酸化物半導体層上に設けられたソース電極と、
前記酸化物半導体層上に設けられたドレイン電極と、
前記酸化物半導体層と前記ソース電極との間に設けられた、ｎ型の導電性を示す第１の領域と、
前記酸化物半導体層と前記ドレイン電極との間に設けられた、ｎ型の導電性を示す第２の領域と、を有することを特徴とする半導体装置。
【請求項２】
ゲート電極と、
前記ゲート電極上に設けられたゲート絶縁層と、
前記ゲート絶縁層上に設けられた酸化物半導体層と、
前記酸化物半導体層の表面に接して設けられたシリコンを含む層と、
前記酸化物半導体層上に設けられたソース電極と、
前記酸化物半導体層上に設けられたドレイン電極と、
前記酸化物半導体層と前記ソース電極との間に設けられた、ｎ型の導電性を示す第１の領域と、
前記酸化物半導体層と前記ドレイン電極との間に設けられた、ｎ型の導電性を示す第２の領域と、を有し、
前記シリコンを含む層は、前記ソース電極または前記ドレイン電極と重なる第３の領域と、前記ソース電極及び前記ドレイン電極と重ならない第４の領域とを有し、
前記第４の領域における前記シリコンを含む層の厚さは、前記第３の領域における前記シリコンを含む層の厚さよりも小さいことを特徴とする半導体装置。
【請求項３】
請求項１または請求項２において、
前記シリコンを含む層は、ｉ型であることを特徴とする半導体装置。
【請求項４】
請求項１乃至３のいずれか一において、
前記酸化物半導体層は、インジウム、亜鉛又はガリウムのうちの少なくとも一を含むことを特徴とする半導体装置。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
ユーザにより行なわれたジェスチャ動作と、該ジェスチャ動作が行なわれた表示領域上の位置とを示す情報を取得する取得手段と、
前記取得手段により取得された情報に基づいて、前記表示領域におけるいずれかのオブジェクトの選択を指示する第１のジェスチャ動作が行なわれたか否かを判定する第１の判定手段と、
前記取得手段により取得された情報に基づいて、前記表示領域におけるいずれかの領域の選択を指示する第２のジェスチャ動作が行なわれたか否かを判定する第２の判定手段と、
前記第１のジェスチャ動作に基づいて選択されたオブジェクトを特定するとともに、前記第２のジェスチャ動作に基づいて選択された領域を特定する特定手段と、
前記オブジェクト及び前記領域が特定されている状態で前記特定された前記オブジェクトに対する処理を指示する第３のジェスチャ動作が行なわれたか否かを判定する第３の判定手段と、
前記第３のジェスチャ動作が行なわれたと判定された場合、前記特定されたオブジェクトを前記特定された領域にコピー又は移動させるオブジェクト処理手段と
を具備することを特徴とする情報処理装置。
【請求項２】
前記第１のジェスチャ動作を行なったユーザを特定するユーザ特定手段
を更に具備し、
前記第２の判定手段は、
前記取得手段により取得された情報と前記ユーザ特定手段により特定されたユーザの情報とに基づいて、前記第１のジェスチャ動作を行なった前記ユーザにより前記第２のジェスチャ動作が行なわれたか否かを判定する
ことを特徴とする請求項１記載の情報処理装置。
【請求項３】
前記第３の判定手段は、
前記特定されているオブジェクトを前記特定されている領域に向かって一定量以上移動させるジェスチャ動作がなされた場合に前記第３のジェスチャ動作が行なわれたと判定する
ことを特徴とする請求項１記載の情報処理装置。
【請求項４】
前記特定手段は、前記第１のジェスチャ動作に基づいて選択された１又は複数のオブジェクトの中からいずれかのオブジェクトを特定するとともに、前記第２のジェスチャ動作に基づいて選択された１又は複数の領域の中からいずれかの領域を特定することを特徴とする請求項１乃至３のいずれか１項に記載の情報処理装置。
【請求項５】
前記取得手段は、前記ユーザの眼を含む画像を取得し、
前記第３の判定手段は、前記特定されているオブジェクトと前記特定されている領域とに対して前記ユーザの視線がそれぞれ一定時間以上向けられた場合に前記第３のジェスチャ動作が行なわれたと判定する
ことを特徴とする請求項１記載の情報処理装置。
【請求項６】
前記特定されているオブジェクトの種別を取得する第１の取得手段と、
前記第２のジェスチャ動作に基づいて選択された１又は複数の領域に配置可能なオブジェクトの種別をそれぞれ取得する第２の取得手段と
を更に具備し、
前記特定手段は、前記第１の取得手段により取得された種別と、前記第２の取得手段により取得された種別とが合致する領域を前記１又は複数の領域の中から特定する
ことを特徴とする請求項１記載の情報処理装置。
【請求項７】
情報処理装置の処理方法であって、
取得手段が、ユーザにより行なわれたジェスチャ動作と、該ジェスチャ動作が行なわれた表示領域上の位置とを示す情報を取得する工程と、
第１の判定手段が、前記取得手段により取得された情報に基づいて、前記表示領域におけるいずれかのオブジェクトの選択を指示する第１のジェスチャ動作が行なわれたか否かを判定する工程と、
第１の特定手段が、前記第１のジェスチャ動作に基づいて選択されたオブジェクトを特定する工程と、
第２の判定手段が、前記取得手段により取得された情報に基づいて、前記表示領域におけるいずれかの領域の選択を指示する第２のジェスチャ動作が行なわれたか否かを判定する工程と、
第２の特定手段が、前記第２のジェスチャ動作に基づいて選択された領域を特定する工程と、
第３の判定手段が、前記オブジェクト及び前記領域が特定されている状態で前記特定された前記オブジェクトに対する処理を指示する第３のジェスチャ動作が行なわれたか否かを判定する工程と、
オブジェクト処理手段が、前記第３のジェスチャ動作が行なわれたと判定された場合、前記特定されたオブジェクトを前記特定された領域にコピー又は移動させる工程と
を含むことを特徴とする処理方法。
【請求項８】
コンピュータを、
ユーザにより行なわれたジェスチャ動作と、該ジェスチャ動作が行なわれた表示領域上の位置とを示す情報を取得する取得手段、
前記取得手段により取得された情報に基づいて、前記表示領域におけるいずれかのオブジェクトの選択を指示する第１のジェスチャ動作が行なわれたか否かを判定する第１の判定手段、
前記取得手段により取得された情報に基づいて、前記表示領域におけるいずれかの領域の選択を指示する第２のジェスチャ動作が行なわれたか否かを判定する第２の判定手段、
前記第１のジェスチャ動作に基づいて選択されたオブジェクトを特定するとともに、前記第２のジェスチャ動作に基づいて選択された領域を特定する特定手段、
前記オブジェクト及び前記領域が特定されている状態で前記特定された前記オブジェクトに対する処理を指示する第３のジェスチャ動作が行なわれたか否かを判定する第３の判定手段、
前記第３のジェスチャ動作が行なわれたと判定された場合、前記特定されたオブジェクトを前記特定された領域にコピー又は移動させるオブジェクト処理手段
として機能させるためのプログラム。
【手続補正２】
【補正対象書類名】明細書
【補正対象項目名】０００７
【補正方法】変更
【補正の内容】
【０００７】
上記課題を解決するため、本発明の一態様よる情報処理装置は、
ユーザにより行なわれたジェスチャ動作と、該ジェスチャ動作が行なわれた表示領域上の位置とを示す情報を取得する取得手段と、
前記取得手段により取得された情報に基づいて、前記表示領域におけるいずれかのオブジェクトの選択を指示する第１のジェスチャ動作が行なわれたか否かを判定する第１の判定手段と、
前記取得手段により取得された情報に基づいて、前記表示領域におけるいずれかの領域の選択を指示する第２のジェスチャ動作が行なわれたか否かを判定する第２の判定手段と、
前記第１のジェスチャ動作に基づいて選択されたオブジェクトを特定するとともに、前記第２のジェスチャ動作に基づいて選択された領域を特定する特定手段と、
前記オブジェクト及び前記領域が特定されている状態で前記特定された前記オブジェクトに対する処理を指示する第３のジェスチャ動作が行なわれたか否かを判定する第３の判定手段と、
前記第３のジェスチャ動作が行なわれたと判定された場合、前記特定されたオブジェクトを前記特定された領域にコピー又は移動させるオブジェクト処理手段とを具備する。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
車両の所定位置に装着され、前記車両の周囲の環境映像と音声とを時間的に同期して記録するドライブレコーダにおいて、
ＬＥＤ信号機の商用電源周波数である５０ｋＨｚ又は６０ｋＨｚに対して２７．５ｆｐｓのフレームレートで前記車両の周囲の環境映像を撮像するカメラと、
前記カメラで撮像したときの年月日及び時刻を計測する時計と、
前記車両の周囲の音声を集音するマイクロホンと、
前記カメラにより撮像された２７．５ｆｐｓのフレームレートの画像データと、前記時計により計測された年月日及び時刻データとを合成した合成画像データを符号化する画像エンコーダと、
前記マイクロホンにより集音された音声データを符号化する音声エンコーダと、
前記符合化された画像データと前記符合化された音声データとを時間的に同期して多重化する多重化手段と、
前記多重化されたデータを記録媒体に記録する記録手段と、
前記記録手段に記録された多重化データを復号化するデコーダと、
前記復号化された多重化データの画像データを、汎用映像信号に対応した２５ｆｐｓのフレームレートの画像データに変換する画像変換手段と、
前記変換された画像データと、前記音声データとを外部へ出力する出力手段と、を備え、
前記画像変換手段は、前記２７．５ｆｐｓのフレームレートで記録された画像データを、前記汎用映像信号に対応した２５ｆｐｓフレームレートの画像データに変換するに際し、１秒間に２．５フレームの割合で画像データを削除する処理を実行するドライブレコーダ。
【請求項２】
前記画像変換手段は、前記デコーダで復号化される１１フレーム毎に１フレームの割合で、当該１１フレームの中から１フレームの画像データを削除する処理を実行する請求項１に記載のドライブレコーダ。
【請求項３】
車両の所定位置に装着され、前記車両の周囲の環境映像と音声とを時間的に同期して記録するドライブレコーダにおいて、
ＬＥＤ信号機の商用電源周波数である５０ｋＨｚ又は６０ｋＨｚに対して２７．５ｆｐｓのフレームレートで前記車両の周囲の環境映像を撮像するカメラと、
前記カメラで撮像したときの年月日及び時刻を計測する時計と、
前記車両の周囲の音声を集音するマイクロホンと、
前記カメラにより撮像された２７．５ｆｐｓのフレームレートの画像データと、前記時計により計測された年月日及び時刻データとを合成した合成画像データを符号化する画像エンコーダと、
前記マイクロホンにより集音された音声データを符号化する音声エンコーダと、
前記符合化された画像データと前記符合化された音声データとを時間的に同期して多重化する多重化手段と、
前記多重化されたデータを記録媒体に記録する記録手段と、
前記記録手段に記録された多重化データを復号化するデコーダと、
前記復号化された多重化データの画像データを、汎用映像信号に対応した３０ｆｐｓのフレームレートの画像データに変換する画像変換手段と、
前記変換された画像データと、前記音声データとを外部へ出力する出力手段と、を備え、
前記画像変換手段は、前記２７．５ｆｐｓのフレームレートで記録された画像データを、前記汎用映像信号に対応した３０ｆｐｓフレームレートの画像データに変換するに際し、１秒間に２．５フレームの割合で画像データを追加する処理を実行するドライブレコーダ。
【請求項４】
前記画像変換手段は、前記デコーダにて復号化される１１フレーム毎に１フレームの割合で、当該１１フレーム目の画像データを複写した画像データを当該１１フレーム目と１２フレーム目の間に追加する処理を実行する請求項３に記載のドライブレコーダ。
【手続補正２】
【補正対象書類名】明細書
【補正対象項目名】０００５
【補正方法】削除
【補正の内容】
【手続補正３】
【補正対象書類名】明細書
【補正対象項目名】０００７
【補正方法】変更
【補正の内容】
【０００７】
しかしながら、上記従来のドライブレコーダでは、ＬＥＤ信号機の商用電源周波数に基づく点滅の影響を受けない第１周波数及び汎用映像信号に対応した第２周波数の周波数切替部をドライブレコーダに設けているので、装置構成が複雑になる。
【手続補正４】
【補正対象書類名】明細書
【補正対象項目名】０００８
【補正方法】変更
【補正の内容】
【０００８】
本発明が解決しようとする課題は、ＬＥＤ信号機の点灯色を確実に識別できる映像とこれに同期した音声とを記録するとともに、汎用映像音声信号として出力できるドライブレコーダを提供することである。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明のドライブレコーダによれば、ＬＥＤ信号機の商用電源周波数が５０Ｈｚまたは６０Ｈｚであるのに対し、カメラのフレームレートはこれらの影響を受けない周波数（２７．５ｆｐｓ）に設定されているため、ＬＥＤ信号機の点灯色を確実に識別することができる。
【手続補正７】
【補正対象書類名】明細書
【補正対象項目名】００１４
【補正方法】削除
【補正の内容】